(57)【特許請求の範囲】
【請求項１】
レンズ鏡筒をカメラ本体に着脱可能に装着するための着脱装置と、
カメラの電源スイッチとを備え、
前記着脱装置を、前記電源スイッチがオン状態の時に、前記レンズ鏡筒の着脱動作不能となるように構成した
ことを特徴としたレンズ交換式カメラのレンズ鏡筒着脱装置。
【請求項２】
請求項１記載のレンズ交換式カメラのレンズ鏡筒着脱装置において、
着脱装置は、レンズ鏡筒を手動操作によって光軸方向に進退させることにより、前記レンズ鏡筒をカメラ本体に結合または解除する装置を備えている
ことを特徴とするレンズ交換式カメラのレンズ鏡筒着脱装置。
【請求項３】
請求項２記載のレンズ交換式カメラのレンズ鏡筒着脱装置において、
レンズ鏡筒をカメラ本体に結合または解除する装置は、レンズ鏡筒を光軸方向に進退させた時に、このレンズ鏡筒をカメラ本体に着脱するための回転リングを備えている
ことを特徴とするレンズ交換式カメラのレンズ鏡筒着脱装置。
【請求項４】
請求項１記載のレンズ交換式カメラのレンズ鏡筒着脱装置において、
電源スイッチは、手動操作によりオン状態とオフ状態で位置が変化する装置であって、オン状態の位置では、レンズ鏡筒のカメラ本体への着脱装置を係止する装置を含んでいる
ことを特徴とするレンズ交換式カメラのレンズ鏡筒着脱装置。
【発明の詳細な説明】
【０００１】
【産業上の利用分野】
本発明は、レンズ鏡筒の着脱可能なレンズ交換式カメラに関し、特にレンズシャッタカメラにおけるレンズ鏡筒着脱装置に関する。
【０００２】
【従来の技術】
レンズ交換式カメラにおけるレンズ鏡筒の着脱装置として従来一般には、スクリュマウントによるねじ込み式のものが知られている。すなわち、カメラ本体のレンズ受け口部分とレンズ鏡筒後端側のマウント部分とにねじ部を設け、レンズ鏡筒（交換レンズ）を回転させながら、両ねじ部を螺合させて締付けることにより、カメラ本体に対し着脱可能に装着するようになっている。
【０００３】
また、上述したレンズ鏡筒の着脱装置としてはバヨネットマウントによるばね付き着脱式のものも知られている。この方式による場合も、レンズ鏡筒をカメラ本体に対し所定角度宛、回動させて着脱するようになっている。
【０００４】
【発明が解決しようとする課題】
ところで、上述した従来のレンズ鏡筒着脱装置によれば、レンズ鏡筒を回転または回動させることによりカメラ本体に装着しているため、これら両部材間での電気信号を交換する電気接点部分に導通不良を生じるという欠点があった。すなわち、レンズ鏡筒を回転させながら装着すると、レンズ鏡筒、カメラ本体間で電気信号を交換するための電気接点同士が滑り、これら各接点の接触面が摩耗したり傷などを生じたりし、導通不良を生じてしまうものであった。
【０００５】
さらに、前述したスクリュマウントによるねじ込み式着脱装置では、レンズ鏡筒のカメラ本体へのねじ込み部分が、カメラ携帯時等での振動、衝撃等によって徐々に緩んでしまうことがある。したがって、レンズ鏡筒が撮影時等において過ってカメラ本体から脱落するといった実用上での問題を生じるおそれもあり、このような点にも配慮し、前述した問題点を一掃することができる何らかの対策を講じることが望まれている。
【０００６】
本発明はこのような事情に鑑みてなされたものであり、レンズ鏡筒を、カメラ本体に対し回転を加えずに着脱できるようにするとともに、このレンズ鏡筒が撮影動作時にカメラ本体側から外れて脱落するといった不具合を解決してなるレンズ交換式カメラのレンズ鏡筒着脱装置を得ることを目的としている。
【０００７】
【課題を解決するための手段】
このような要請に応えるために本発明に係るレンズ交換式カメラのレンズ鏡筒着脱装置は、交換式のレンズ鏡筒をカメラ本体に着脱可能に装着するための着脱装置と、カメラの電源スイッチとを備え、着脱装置を、この電源スイッチがオン状態の時に、レンズ鏡筒の着脱動作不能となるように構成したものである。
【０００８】
すなわち、本発明に係るレンズ交換式カメラのレンズ鏡筒着脱装置は、レンズ鏡筒を手動操作によって光軸方向に進退させることにより、このレンズ鏡筒をカメラ本体に結合または解除する装置、たとえばレンズ鏡筒を光軸方向に進退させることでカメラ本体に着脱するための回転リングを備えている装置によって構成したり、電源スイッチを、手動操作によりオン状態とオフ状態で位置が変化する装置とし、オン状態の位置でレンズ鏡筒の着脱装置を係止する装置、たとえばロック機構を含んでいるように構成したりしたものである。
【０００９】
【作用】
本発明によれば、交換レンズとしてのレンズ鏡筒を、回転を加えずに、手動操作によって光軸方向に進退させること等によって、カメラ本体に着脱できるような着脱装置として回転リングを設けることにより、このレンズ鏡筒を、回転させることなくカメラ本体に対し着脱して結合または解除することが可能で、これによりレンズ鏡筒の回転によってカメラ本体とに発生する電気接点の摩耗や傷などを避けることが可能となる。
【００１０】
また、本発明によれば、カメラのメインスイッチである電源スイッチがオン状態の時に、これに連動してレンズ鏡筒を係止するロック機構を設けることにより、レンズ鏡筒を着脱動作不能とし、カメラ本体から過って脱落するといった危険性を少なくすることができる。
【００１１】
【実施例】
図１ないし図３は本発明に係るレンズ交換式カメラのレンズ鏡筒着脱装置の一実施例を示すものであり、これらの図において、まず、本発明を適用したレンズ交換式カメラの外観を、図１等を用いて簡単に説明する。
すなわち、この図１において、カメラボディ１は、外郭をカバー２によって覆われている。カメラの上面には、レリーズ釦３が設けられ、また前面には、窓４とスピードライト５およびメインスイッチＭＳＷが配置されている。なお、窓４の中には、周知の測光装置、測距装置、ファインダが配置されている。さらに、メインスイッチＭＳＷは、このカメラの主電源スイッチとなるものである。
【００１２】
また、カメラの前面中央には、後述するようにレンズ鏡筒ユニット５１を手動操作によって嵌め込んでカメラ内に進退させるためのレンズ鏡筒ユニット挿入部となる開口部２ａが設けられている。さらに、このレンズ鏡筒ユニット５１の着脱のために、カメラボディ１には回転制限溝１ａが設けられ、またその内側に配置される着脱リング８にはカム溝８ａが設けられている。そして、レンズ鏡筒ユニット５１の外筒５２外周に設けられた回転制限ピン５２ａとカムピン５２ｂとが、上述した回転制限溝１ａ、カム溝８ａにそれぞれ係合するように構成されている。
【００１３】
また、レンズ鏡筒ユニット５１の後端には、後述するようにカメラボディ１内に組み込まれたカップリングギア２５（図４等参照）と係合する鏡筒ギア５３ａが設けられている。
【００１４】
図２は本発明を適用したレンズ交換式カメラの底面図であり、この図ではカメラが撮影準備状態にある場合を示す。
この図２から明らかなように、カバー２には、レンズ着脱レバー９が、紙面上で左右方向にスライド可能に支持されている。
【００１５】
また、このカバー２の底面でレバー着脱レバー９に近接する部分には、レンズ鏡筒ユニット５１が固定された状態を示す「ＬＯＣＫ」、レンズ鏡筒ユニット５１の装着準備状態を示す「ＥＪＥＣＴ」、そしてレンズ鏡筒ユニット５１の非装着状態であってかつ後述するバリア２８（図４等参照）が閉じた状態を示す「ＣＬＯＳＥ」の各指標２ｃ，２ｄ，２ｅが設けられている。そして、レンズ着脱レバー９の指標９ｂを、所定の指標位置に合わせるように左右方向にスライド操作することにより、上述した各機能を得ることが可能になる。
【００１６】
なお、これら各指標位置「ＬＯＣＫ」、「ＥＪＥＣＴ」、「ＣＬＯＳＥ」での機能の詳細は後述する。
【００１７】
図３は本実施例でのカメラ内の回路構成を示すブロック図である。
この図３において、制御回路４０には、周知の測距装置４１、測光装置４２、フィルム給送装置４３が接続されている。また、この制御回路４０には、レンズ鏡筒５１（レンズ鏡筒ユニット）の駆動用としての鏡筒モータ２１およびその鏡筒駆動位置を検出するためのフォトインタラプタ２３も接続されている。
また、この制御回路４０の操作スイッチとして、レリーズ釦３による半押しスイッチＳ１、全押しスイッチＳ２、鏡筒基準位置を検出する鏡筒スイッチＫＹＳも接続されている。
【００１８】
さらに、制御回路４０には、前記レンズ着脱レバー９に連動してカメラの作動状態を指示するスイッチエンコーダ１０も接続されている。
また、レンズ鏡筒ユニット５１内に組み込まれているシャッタ５５および撮影レンズ情報を記憶した不揮発性記憶装置５８（以下、Ｅ2 ＰＲＯＭという）も、制御回路４０に接続されている。
なお、これらの作動については、後で説明する。
【００１９】
図４から図８は単焦点レンズ、ここでは焦点距離３５ｍｍの撮影レンズを有するレンズ鏡筒ユニット５１をカメラボディ１に装着して使用する場合の過程を示すカメラの断面図である。
まず、図４はレンズ鏡筒ユニット５１がカメラボディ１から外れた状態を示す。この状態では、バリア２８がレンズ鏡筒ユニット挿入部である開口部２ａ部分を閉塞している。
カメラボディ１の下部には、レンズ鏡筒ユニット５１の装着時に鏡筒が回転するのを防止する回転制限溝１ａが設けられている。
さらに、回転制限溝１ａに連続して、レンズ鏡筒ユニット５１を着脱する着脱リング８が、カメラボディ１に対して回転自在でかつ光軸方向には移動不能に支持されている。この着脱リング８には、レンズ鏡筒ユニット５１の装着時にレンズ鏡筒ユニット５１を沈胴位置で固定するための螺旋状のカム溝８ａが設けられている。
【００２０】
また、カバー２には、レンズ着脱レバー９が保持されており、紙面に対し垂直方向に移動可能である。このレンズ着脱レバー９には着脱リング８の外周に形成されたギア８ｂと係合するラック９ａが設けられている。したがって、着脱レバー９を紙面に対し垂直方向にスライドさせると、着脱リング８は光軸を中心に回転する。一方、着脱レバー９にはブラシ９ｂが設けられており、カメラボディ１内のスイッチエンコーダ１０のパターン上を移動することで着脱レバー９の状態に応じた信号を発生するようになっている。
なお、レンズ鏡筒ユニット５１の装着方法については後述する。
【００２１】
また、カメラボディ１内で後側には、レンズ鏡筒ユニット５１との電気的接続を得るための接点ピン１１が設けられている。
さらに、フィルムに露光を行なうアパーチャ１２の前部には遮光羽根１３が設けられており、レンズ鏡筒ユニット５１が取り外されている場合には、図４に示すようにアパーチャ１２を遮光している。
【００２２】
一方、カメラボディ１の上部には、鏡筒駆動用の鏡筒モータ２１が設けられている。この鏡筒モータ２１の一端２１ａには、スリットが形成された羽根車２２が装着されており、フォトインタラプタ２３でスリットの通過を読み取り、鏡筒モータ２１の回転量をパルスとして検出する。また、鏡筒モータ２１の他端２１ｂにはピニオンギア２４が装着されており、ピニオンギア２４はカメラボディ１の軸受け部１ｂで支持されるカップリングギア２５と係合している。このカップリングギア２５は圧縮ばね２６により図中紙面左方向、すなわち撮影光軸左方向に付勢されている。
また、カメラボディ１のレンズ鏡筒ユニット挿入部には、外筒５２の外周と接触する摩擦部材２７が円弧状に配置されている。
【００２３】
次に、レンズ鏡筒ユニット５１の構成について説明する。
すなわち、撮影レンズを構成する前群レンズ８１は、可動筒５４に保持されている。同様に、シャッタ５５も可動筒５４に固定されている。また、シャッタ羽根５５ａの後方の後群レンズ８３は、後群レンズ室８４に保持され、後群レンズ室８４は可動筒５４に固定されている。
可動筒５４の後端外周には雄ヘリコイドねじ５４ａが形成されており、回転筒５３の内周に形成された雌ヘリコイドねじ５３ｂと螺合している。回転筒５３はその外周を外筒５２に回転自在に支持されており、光軸方向に関しては外筒５２と飾り板５６で移動不能に支持されている。
【００２４】
また、回転筒５３の後端外周には鏡筒ギア５３ａが設けられている。
さらに、飾り板５６には直進キー５６ａが設けられており、後群レンズ室８４に設けられたキー溝８４ａと接触している。したがって、回転筒５３が回転すると、可動筒５４は直進キー５６ａとキー溝８４ａにより回転を制限されているので、ヘリコイドねじ５４ａ，５３ｂにより光軸方向に進退することになる。
また、飾り板５６には鏡筒スイッチＫＹＳが設けてあり、後群レンズ室８４の一端８４ｂと接触している。
【００２５】
さらに、シャッタ５５からは、シャッタ駆動に関する信号を伝達するためのフレキシブルプリント配線板（以下ＦＰＣという）５９が延びている。このＦＰＣ５９にはＥ2 ＰＲＯＭ５８が実装されている。このＥ2 ＰＲＯＭ５８には、鏡筒内の撮影レンズ８１，８３の焦点距離、Ｆナンバー、繰り出し量等といった撮影レンズに関する情報が書き込まれている。そして、ＦＰＣ５９は飾り板５６の後端に延びており、カメラボディ１の接点ピン１１と対向する位置に通信用のパターン５９ａが設けられている。
【００２６】
また、鏡筒外筒５２の外周には、回転制限ピン５２ａとカムピン５２ｂが円周上に３カ所設けられている。これら３カ所のピンは円周上において不等角度に配置されており、レンズ鏡筒ユニット装着位置を１つに限定している。しかし、１対の回転制限ピン５２ａとカムピン５２ｂは同一角度上に配置されている。
【００２７】
次に、レンズ鏡筒ユニット５１の装着過程を、図４〜図８、さらに図９〜図１２を用いて以下に説明する。ここで、図９から図１２はレンズ鏡筒ユニット５１の装着過程での着脱リング８の動作を示す展開図である。
まず、図４および図９はレンズ鏡筒ユニット５１がカメラボディ１から外れた状態を示している。
この状態で、着脱レバー９を、「ＣＬＯＳＥ」位置から「ＥＪＥＣＴ」位置にスライドさせると、後述する機構によりバリア２８が開き、さらに着脱リング８のカム溝８ａの一端８ｃとカメラボディ１の回転制限溝１ａが一直線上に合わせられる。
【００２８】
ここで、レンズ鏡筒ユニット５１を挿入していくと、鏡筒外筒５２のカムピン５２ｂは、カメラボディ１の回転制限溝１ａを通って着脱リング８の螺旋状のカム溝８ａの一端８ｃに達する。また、鏡筒外筒５２の回転制限ピン５２ａは、カメラボディ１の回転制限溝１ａの一端１ｃに達する。
この状態を、図５および図１０に示す。そして、このときには、レンズ鏡筒ユニット５１は、鏡筒外筒５２の外周を摩擦部材２７によって保持されているので、容易に脱落することはない。
【００２９】
次に、着脱レバー９を、「ＥＪＥＣＴ」位置から「ＬＯＣＫ」位置にスライドさせると、着脱リング８は図１０の紙面上で右方向に移動する。すると、鏡筒外筒５２のカムピン５２ｂは、着脱リング８のカム８ａ溝の斜面８ｄに沿って動き、固定位置８ｅに達する。このとき、鏡筒外筒５２の回転制限ピン５２ａはカメラボディ１の回転制限溝１ａに係合しているので、外筒５２は回転をせず、光軸方向のみに移動する。すなわち、レンズ鏡筒ユニット５１が回転せずに、光軸方向に沈胴することになる。この状態を図６および図１１に示す。
【００３０】
この沈胴過程で、回転筒５３の鏡筒ギア５３ａはカメラボディ１内に設けたカップリングギア２５と係合する。このとき、仮に鏡筒ギア５３ａとカップリングギア２５の歯先が干渉しても、圧縮ばね２６の作用で、カップリングギア２５が逃げ、かつ鏡筒モータ２１が回転することで正常な噛み合いが得られる。
なお、レンズ鏡筒ユニット５１が沈胴を完了するのに連動して、後述する機構により、アパーチャ１２を覆っている遮光羽根１３が退避される。
【００３１】
そして、メインスイッチＭＳＷを「ＯＮ」にすることで、図１７、図１８に示されたクリックばね９０の接点１００から図３の制御回路４０に信号が伝えられ、レンズ鏡筒ユニット５１のＥ2 ＰＲＯＭ５８から撮影レンズ情報（焦点距離、Ｆナンバー、繰り出し量等）を読み込み、次に制御回路４０は鏡筒モータ２１を駆動する。また、メインスイッチＭＳＷを「ＯＮ」したときは、このメインスイッチＭＳＷと一体で成型された腕が予め設けられた着脱リング８の溝１１０に嵌合し、カバー２に設けられたレンズ着脱レバー９を動作不能にし、レンズ鏡筒ユニット５１を着脱不可能とする。
【００３２】
さらに、鏡筒モータ２１の回転により前述の機構でレンズ鏡筒ユニット５１内の撮影レンズ８１，８３を保持した可動筒５４が光軸方向において繰り出される。この繰り出しの開始により、鏡筒スイッチＫＹＳに接触していた後群レンズ室８４の端面８４ｂが離れ、鏡筒スイッチＫＹＳが作動し、この鏡筒スイッチＫＹＳの信号とフォトインタラプタ２３のパルスカウント値から繰り出し量を演算し、所定の撮影準備位置でレンズを停止させる。この状態を図７に示す。
【００３３】
ここで、レリーズ釦３を半押しすると、半押しスイッチＳ１がＯＮし、測距装置４１により被写体距離を測定し、繰り出し量を演算して、鏡筒モータ２１を駆動制御して撮影レンズ８１，８３を所定の位置まで移動させ、測光装置４２によって被写体輝度を測定する。さらに、全押しスイッチＳ２がＯＮされると、シャッタ５５を作動させ、露光を行なう。その後、撮影レンズ８１，８３を可動筒５４によって撮影準備位置に戻し、フィルム給送装置４３によりフィルムを一駒巻き上げる。
【００３４】
一方、写真撮影が終了し、メインスイッチＭＳＷを「ＯＮ」位置から「ＯＦＦ」位置にスライドさせると、鏡筒モータ２１が駆動され、可動筒５４が撮影準備位置から沈胴し、後述する機構によりバリア２８が可動筒５４の前面を覆う。この状態を図８および図１２に示す。
このとき、レンズ鏡筒ユニット５１のカムピン５２ａは、着脱リング８の固定位置８ｅから８ｆに到達するが、光軸方向の位置は変化しないように構成されている。
【００３５】
また、前記レンズ鏡筒ユニット５１の取り外しは、メインスイッチＭＳＷが「ＯＦＦ」位置の状態で着脱レバー９を「ＥＪＥＣＴ」位置にスライドさせることにより、前述した方法と逆の作動となり、レンズ鏡筒ユニット５１は装着準備位置に戻され、取り外し可能な状態になる。
この状態において、レンズ鏡筒ユニット５１を手で取り外した後、着脱レバー９を「ＣＬＯＳＥ」位置にスライドさせると、後述の機構によりバリア２８がレンズ鏡筒ユニット挿入部（開口部２ａ部分）を閉塞する。
【００３６】
次に、バリア２８および遮光羽根１３の駆動機構について以下に説明する。
図１３から図１５はバリア２８および遮光羽根１３の駆動機構を示す概略斜視図であって、ここで図１３は前述した図４および図９に対応した状態を示している。
まず、遮光羽根１３は、３枚の羽根１４，１５，１６から構成されており、アパーチャ１２を遮光している。
ここで、それぞれの羽根１４〜１６は回転軸１４ａ，１４ｂ，１５ａ，１５ｂ，１６ａ，１６ｂで２本の平行リンク１７と１８とに、それぞれ回転自在に支持されている。また、平行リンク１７と１８は、それぞれ軸１７ａ，１８ａを中心に回転自在に支持されている。
【００３７】
平行リンクの一方１８には、ピン１８ｂが植設されている。このピン１８ｂは、着脱レバー９のカム９ｃのカム面９ｄに当接しており、平行リンク１７，１８は図１３に示す位置に保持され、各遮光羽根１４〜１６はアパーチャ１２を遮光する状態を維持している。
なお、平行リンク１８は、軸１８ａを中心として時計方向に図示しないばねで付勢されている。
【００３８】
一方、バリア２８は、軸２８ａを中心に回転自在に支持されており、図示しないばねで軸２８ａを中心に時計方向に付勢されている。
バリア２８からは腕部２８ｂが延びており、軸２９ａを中心に回転自在に支持された第１レバー２９から垂れ下がった腕部２９ｂと当接している。
また、第２レバー３０は、第１レバー２９の回転軸２９ａと同軸に回転自在に支持されている。
【００３９】
これら第１レバー２９と第２レバー３０の間には、ねじりばね３１が回転軸２９ａを中心に支持されており、ねじりばね３１の一端３１ａは第１レバー２９の腕部２９ｂに当接し、他端３１ｂは第２レバー３０から立ち上がった腕部３０ａに当接している。したがって、第１レバー２９の腕部２９ｃと第２レバー３０の腕部３０ａ当接した状態で保持されている。すなわち、ねじりばね３１により第１レバー２９と第２レバー３０は一体に回転する。
第２レバー３０には、ピン３０ｂが植設されており、着脱レバー９のカム部９ｈのカム溝９ｊと係合している。
【００４０】
この状態において、バリア２８は、図４、図９、さらに図１３に示した状態で、レンズ鏡筒ユニット挿入部（開口部２ａ部分）を閉塞している。
なお、この状態でバリア２８を開放側に外力で動かすと、バリア２８の腕部２８ｂと第一レバー２９の腕部２９ｂの係合が外れるだけであり、機構部品を破壊することはない。
【００４１】
また、着脱レバー９の移動に伴ない、着脱レバー９に設けられたブラシ９ｂはスイッチエンコーダ上のパターンを摺動する。このパターンはＧＮＤパターン１０ａ、信号パターン１０ｂおよび１０ｃからなり、ＧＮＤパターン１０ａと各信号パターン１０ｂ，１０ｃとをブラシ９ｂで導通させ、所定の信号を制御回路４０に伝達する。
図１３の状態では、信号パターン１０ｂが非導通（以下、「Ｈ」という）で、信号パターン１０ｃが導通（以下、「Ｌ」という）となり、制御回路４０は、レンズ鏡筒ユニット５１が非装着で、バリア２８が閉じていると認識する。
【００４２】
次に、着脱レバー９を「ＣＬＯＳＥ」位置から「ＥＪＥＣＴ」位置にスライドさせる、つまり図１３において紙面左上に移動させると、第２レバー３０のピン３０ｂは着脱レバー９のカム部９ｈに沿って動き、カム溝９ｋの位置に移動する。このとき、第２レバー３０は回転軸２９ａの回りに反時計方向に回転し、ねじりばね３１を介して第１レバー２９も反時計方向に回転する。そして、第１レバー１の腕部２９ｂがバリア２８の腕部２８ｂを押すので、バリア２８は回転軸２８ａの回りに反時計方向に回転し、レンズ鏡筒ユニット５１の挿入部から退避する。
【００４３】
この過程において、平行リンク１８に植設されたピン１８ｂは、カム９ｃのカム面９ｅに当接しているが、その高さは変化しないため、遮光羽根１３はアパーチャ１２を遮光した状態を維持する。
この状態で、ブラシ９ｂは、信号パターン１０ｂ，１０ｃとも「Ｌ」となり、制御回路４０は、レンズ鏡筒ユニット５１が装着準備位置で、バリア２８が開放されていると認識する。
この状態を図１４に示す。
【００４４】
次に、着脱レバー９を「ＥＪＥＣＴ」位置から「ＬＯＣＫ」位置にスライドさせる、つまり図１４において紙面の左上方向に移動させると、第２レバー３０のピン３０ｂは着脱レバー９のカム部９ｈに沿って動き、カム溝９ｍの位置に移動する。このとき、カム部９ｈの高さは変化しないので、第２レバー３０は回転せず、したがって第１レバー２９、バリア２８も回転せず、バリア２８は開放状態を維持する。
一方、平行リンク１８に植設されたピン１８ｂは、カム９ｃのカム面９ｆ上に移動する。すると、カム面の高さが低くなるため、平行リンク１７，１８はそれぞれ回転軸１７ａ、１８ａの回りに回転し、遮光羽根１４，１５，１６はアパーチャ１２から退避する。
【００４５】
この状態で、ブラシ９ｂは、信号パターン１０ｂが「Ｌ」で、信号パターン１０ｃが「Ｈ」となり、制御回路４０は、レンズ鏡筒ユニット５１が装着位置で、バリア２８が閉ざされていると認識する。この状態を図１６に示す。
次に、メインスイッチＭＳＷを、［ＯＦＦ」位置から［ＯＮ」位置にスライドさせると、制御回路４０は、この信号を受け、前述したように鏡筒モータ２１を駆動して撮影レンズ８１，８３（可動筒５４）を所定の撮影準備位置まで繰り出す。
【００４６】
次に、メインスイッチＭＳＷを、「ＯＮ」位置から「ＯＦＦ」位置にスライドさせる。すると、信号パターン１０ｂおよび１０ｃは「Ｈ」の状態になり、この信号を受けて制御回路４０は、鏡筒モータ２１を駆動し、撮影レンズ８１，８３をもつ可動筒５４を沈胴させる。
そして、メインスイッチＭＳＷに連動されているＭＳＷ連動レバー１２０がピン３０ｂの係止を外し、ピン３０ｂがねじりばね３１を介してカム部９ｈを動くことで、バリア２８が閉じる。
【００４７】
また、この過程で、平行リンク１８に植設されたピン１８ｂは、カム９ｃのカム面９ｆに当接しているが、その高さは変化しないため遮光羽根１３はアパーチャ１２を開放した状態を維持する。この状態を図１５に示す。
なお、着脱レバー９を、「ＬＯＣＫ」位置から「ＣＬＯＳＥ」位置に動かす場合は、上述した場合とは逆の作動をする。
【００４８】
最後に、メインスイッチＭＳＷの保持機構について、図１７および図１８を用いて以下に説明する。ここで、図１８は図１７のＡ−Ａ線断面図である。
メインスイッチＭＳＷは、前記着脱リング８を作動不能にするロック機構を兼ね備えており、ＭＳＷ保持具であるスライド部材１３０における一端１１１がレンズ鏡筒ユニット溝１１０に入り込むことで前記作動を不能とする。
また、この着脱リング８は、カバー２とスライド部材１３０により係合されている。また、これと同時に、前記電気切片を兼ねた電気切片付きクリック溝１００とこれにより前記メインスイッチＭＳＷにクリック感を与えるクリックばね９０を備えている。
【００４９】
なお、図中１０１は電気切片のないクリック溝、１３０はメインスイッチＭＳＷ用の保持具で、両端には止めビス１７０，１８０が付設されている。また、１４０はフィルムパトローネ、１５０はフィルム１６０が巻上げられるスプール、さらに１９０はクリックばね９０をメインスイッチＭＳＷに取付けている止めビスである。
【００５０】
そして、このような構成によれば、メインスイッチＭＳＷが、「ＯＮ」位置にスライド操作されると、着脱リング８の回転等が規制され、カメラの撮影状態で着脱動作を禁止することができる。
【００５１】
なお、本発明は上述した実施例構造には限定されず、レンズ交換式カメラ各部の形状、構造等を適宜変形、変更し得ることはものであり、種々の変形例が考えられることは言うまでもない。
たとえばレンズ鏡筒をカメラ本体に着脱可能に装着する着脱装置となる回転リング８や、この着脱装置の動きをメインスイッチＭＳＷに連動してロックするロック、ロック解除装置等としても、種々の変形例が考えられる。
【００５２】
【発明の効果】
以上説明したように本発明に係るレンズ交換式カメラのレンズ鏡筒着脱装置によれば、交換式のレンズ鏡筒をカメラ本体に着脱可能に装着するための着脱装置と、カメラの電源スイッチとを備え、この電源スイッチがオン状態の時に、レンズ鏡筒の着脱動作不能となるように構成したので、簡単な構成であるにもかかわらず、交換レンズとなるレンズ鏡筒をカメラ本体に、回転を加えることなく着脱することができ、これによりカメラ本体とレンズ鏡筒とで交換される電気信号の接点を磨耗させたり、傷などをつけたりすることがなく、製品としての信頼性の向上が期待できる。
【００５３】
また、本発明によれば、電源スイッチとなるメインスイッチをオン状態にすることにより、これに連動してレンズ鏡筒着脱装置を、ロック機構による係止によって着脱動作不能となるようにしているので、撮影時等においてレンズ鏡筒がカメラ本体から脱落する危険性をなくすことができる。
【００５４】
特に、本発明によれば、レンズ鏡筒を手動操作によって光軸方向に進退させるとともに、このレンズ鏡筒をカメラ本体と結合または解除する装置、たとえばレンズ鏡筒を光軸方向に進退させることで、レンズ鏡筒をカメラ本体側に着脱するための回転リングを備えている装置によって構成することにより、レンズ鏡筒を、回転を加えずに、手動操作で光軸方向に進退させ、かつカメラ本体側での回転リングの操作によって、レンズ鏡筒を簡単に着脱でき、しかも確実な結合状態を得ることが可能で、これによりレンズ鏡筒の回転によってカメラ本体とに発生する電気接点の摩耗や傷などを避けることができる。
【００５５】
また、本発明によれば、カメラのメインスイッチである電源スイッチを、手動操作によりオン状態とオフ状態で位置が変化する装置であってオン状態の位置でレンズ鏡筒着脱装置を係止するロック機構を含むように構成することにより、カメラのメインスイッチである電源スイッチがオン状態の時に、これに連動してレンズ鏡筒を係止するロック機構にてレンズ鏡筒を着脱動作不能とし、カメラ本体から過って脱落するといった危険性を大幅に減少させることができる。
【図面の簡単な説明】
【図１】  本発明に係るレンズ鏡筒着脱装置を適用したレンズ交換式カメラの一実施例を示す概略分解斜視図である。
【図２】  図１のレンズ交換式カメラの底面図である。
【図３】  本発明を適用したレンズ交換式カメラでの制御回路構成を示すブロック図である。
【図４】  本発明に係るレンズ鏡筒着脱装置の一実施例を示し、レンズ鏡筒ユニット装着前の状態を示すカメラの概略断面図である。
【図５】  図４の状態からレンズ鏡筒ユニットを装着準備状態とした場合の概略断面図である。
【図６】  図５の状態からレンズ鏡筒ユニットを装着固定時の状態とした場合の概略断面図である。
【図７】  図６のレンズ鏡筒ユニット装着固定状態においてレンズ鏡筒ユニットを撮影準備状態とした場合の概略断面図である。
【図８】  図６のレンズ鏡筒ユニット装着固定状態においてレンズ鏡筒ユニットを沈胴させている非撮影状態の場合を示す概略断面図である。
【図９】  本発明装置において図４（ＣＬＯＳＥ時）に対応する着脱リングの作動を説明するための展開図である。
【図１０】  本発明装置において図５（ＥＪＥＣＴ時）に対応する着脱リングの作動を説明するための展開図である。
【図１１】  本発明装置において図６（ＬＯＣＫ時）に対応する着脱リングの作動を説明するための展開図である。
【図１２】  本発明装置において図８（ＭＳＷ・ＯＦＦ時）に対応する着脱リングの作動を説明するための展開図である。
【図１３】  本発明装置においてバリアと遮光羽根の「ＣＬＯＳＥ」時の作動を説明するための概略斜視図である。
【図１４】  本発明装置においてバリアと遮光羽根の「ＥＪＥＣＴ」時の作動を説明するための概略斜視図である。
【図１５】  本発明装置においてバリアと遮光羽根の「ＬＯＣＫ」時の作動を説明するための概略斜視図である。
【図１６】  本発明装置においてバリアと遮光羽根の「ＭＳＷ・ＯＦＦ」時の作動を説明するための概略斜視図である。
【図１７】  本発明装置においてレンズ鏡筒ユニットのロック機構とＭＳＷのクリック機構との関係を示す概略水平断面図である。
【図１８】  図１７のＡ−Ａ線で断面したレンズ鏡筒ユニットのロック機構とＭＳＷのクリック機構とカメラ本体との保持装置との関係を説明するための概略断面図である。
【符号の説明】
１…カメラボディ（カメラ本体）、１ａ…回転制限溝、２…カバー、２ａ…レンズ鏡筒ユニット挿入部となる開口部、３…レリーズ釦、８…着脱リング（回転リング）、８ａ…カム溝、９…レンズ着脱レバー、９ｂ…ブラシ、９ｃ…カム、９ｈ…カム部、１０…スイッチエンコーダ、１１…接点ピン、１２…アパーチャ、１３…遮光羽根、１７，１８…平行リンク、２１…鏡筒モータ、２３…フォトインタラプタ、２５…カップリングギア、２８…バリア、２９…第１レバー、３０…第２レバー、４０…制御回路、５１…レンズ鏡筒ユニット、５２…外筒、５２ａ…回転制限ピン、５２ｂ…カムピン、５３…回転筒、５３ａ…鏡筒ギア、５４…可動筒、５５…シャッタ、５８…不揮発性記憶装置（Ｅ2 ＰＲＯＭ）、８１…前群レンズ、８３…後群レンズ、９０…クリックばね、１１０…レンズ鏡筒ユニット溝、１２０…ＭＳＷ連動レバー、１４０…パトローネ、１５０…スプール室、１６０…フィルム、ＭＳＷ…メインスイッチ（電源スイッチ）、ＫＹＳ…鏡筒スイッチ、Ｓ１…半押しスイッチ、Ｓ２…全押しスイッチ。
【図１】
0003706949.tif 000002
【図２】
0003706949.tif 000003
【図３】
0003706949.tif 000004
【図４】
0003706949.tif 000005
【図５】
0003706949.tif 000006
【図６】
0003706949.tif 000007
【図７】
0003706949.tif 000008
【図８】
0003706949.tif 000009
【図９】
0003706949.tif 000010
【図１０】
0003706949.tif 000011
【図１１】
0003706949.tif 000012
【図１２】
0003706949.tif 000013
【図１３】
0003706949.tif 000014
【図１４】
0003706949.tif 000015
【図１５】
0003706949.tif 000016
【図１６】
0003706949.tif 000017
【図１７】
0003706949.tif 000018
【図１８】
0003706949.tif 000019